(57)【要約】【課題】ケーブル分岐金具を被覆する被覆作業が簡単に行え作業性に優れ、しかも、その絶縁性に個人差がなくなり、安全上好ましいケーブル分岐金具用カバーを提供する。【解決手段】開放面が向き合う合成樹脂製の一対の半裁体１ａ，１ｂの一端をヒンジ部２により連結し、そのヒンジ部２を中心とし自在に開閉してケーブル分岐金具Ｂに被覆できるようにし、各半裁体１ａ，１ｂの開放面の両側縁に架空電線Ｄが引き出される引出口９を開設し、各半裁体１ａ，１ｂの所定の位置に両半裁体１ａ，１ｂを閉じたとき互いに係脱自在に係合し得る係合部１２と被係合部１３をそれぞれ設け、少なくとも一方の半裁体１ａの外周面には間接活線工具Ｃの把持部４２の先端部を挿通して挟着できる差込部１４と該差込部１４から一定の間隔離れた位置に設けられ差込部１４に先端部を挿通した状態で把持部４２から伸びる支持杆４１を受け止める受止凹部１５とを設けて構成される。【選択図】図４
2008178182.tif 000002
【特許請求の範囲】
【請求項１】
所定の大きさを有すると共に開放面が向き合う合成樹脂製の一対の半裁体からなり、前記両半裁体の一端をヒンジ部により連結し、前記ヒンジ部を中心とし前記一対の半裁体を自在に開閉してケーブル分岐金具に被覆するようにしたケーブル分岐金具用カバーであって、
前記各半裁体の開放面の両側縁に架空電線が引き出される引出口を開設し、前記各半裁体の所定位置に両半裁体を閉じて合わせたとき互いに係脱自在に係合し得る係合部と被係合部をそれぞれ設け、少なくとも前記一方の半裁体の外周面には間接活線工具の把持部の先端を挿通する差込部と該差込部から一定の間隔離れた位置に設けられ前記差込部に前記先端を挿通した状態で前記把持部から伸びる支持杆を受け止める受止凹部とを設けたことを特徴とするケーブル分岐金具用カバー。
【請求項２】
前記一方の半裁体の開口面の両側縁に、他方の半裁体側へ突出しかつ両側縁が先端に向うに従って漸次窄まるように傾斜する案内片を設けた請求項１記載のケーブル分岐金具用カバー。
【請求項３】
前記一方の半裁体の内周面に、前記ケーブル分岐金具に接続される前記ケーブルの両側に位置して該ケーブルの揺動動作を規制し得る規制凸部を設けた請求項１又は２記載のケーブル分岐金具用カバー。
【発明の詳細な説明】
【技術分野】
【０００１】
本発明は、架空電線の電気工事のため該架空電線にケーブル分岐金具を用いてバイパス線を繋ぐ場合、その接続部となるケーブル分岐金具を被覆するためのケーブル分岐金具用カバーに関するものである。
【背景技術】
【０００２】
従来、例えば架空電線の一個所で事故が発生し、その個所を含めた一定範囲の電気を遮断して修復工事を行なう場合、工事期間の間に周囲に迷惑を掛けないようにするため架設電線に事故個所を迂回するようにしてバイパス線を張設するようにしている。このバイパス線としては、両端に金属製のケーブル分岐金具を取着したケーブルが使用され、各ケーブル分岐金具は架空電線の所定位置であって被覆層を剥がした銅線である芯線に取着される。そして、これらケーブル分岐金具を取着した接続部は充電部となり非常に危険であるので、その上から合成樹脂製のシートを巻き、更に、該シートの上から幾重にもビニルテープを巻き付け、合成樹脂製のシートによってケーブル分岐金具が外部から見えない程にしっかりと覆うようにしている。このような方法では、その被覆作業や修復作業が終了した後の取り外し作業が面倒であって手間取るばかりか時間も掛り、作業性が悪かった。また、バイパス線を架設する作業は作業者が直接手で作業するため、その間、電線の電流を遮断しなければならず、その周囲に迷惑を掛けることになる。更に、ビニルテープの締付力には作業者の個人差が有り、これによって充電部である接続部の絶縁性にも差が生じることになる。しかしながら、この絶縁性について差が生ずることは安全上好ましいことではない。
【０００３】
そこで、前記方法における課題の解決策として、例えば、次のような防護カバーが有る。すなわち、この防護カバーは、柔軟な矩形の絶縁シートの外表面にねじりバネを装着したシート固定用ハサミを一体に設け、間接活線工具を使い遠隔操作によりシート固定用ハサミを操作し絶縁シートと共に充電部を挟むようにしている（例えば、特許文献１参照。）。
【特許文献１】特開平９−１９１５１８号公報（第２−３頁、図１、図４）
【発明の開示】
【発明が解決しようとする課題】
【０００４】
前記特許文献１の防護カバーにあっては、工事期間を含めて架空電線の電線を遮断する必要性が無いことから、工事付近に迷惑を掛ける心配はないが、矩形状に成形され下方が開放しており、バイパス線の接続部がＴ字形をしている充電部を被覆するには危険性が高い。しかも、間接活線工具を用いてシート固定用ハサミを遠隔的に操作するには、シート固定用ハサミから滑って間接活線工具の先端が外れたり、これにより絶縁シートを誤って落下させてしまうといった危険性があり、作業性が良くないという課題がある。
【０００５】
そこで、本発明は、前記課題を解決すべくなされたもので、架空電線の電流を遮断することなく作業ができ、しかも、接続部となるケーブル分岐金具を被覆する被覆作業が簡単に行え作業性に優れ、その絶縁性に個人差もなくなり、安全上好ましいケーブル分岐金具用カバーを提供することを目的とするものである。
【課題を解決するための手段】
【０００６】
かかる目的を達成するため本発明に係るケーブル分岐金具用カバーは、所定の大きさを有すると共に開放面が向き合う合成樹脂製の一対の半裁体からなり、前記両半裁体の一端をヒンジ部により連結し、前記ヒンジ部を中心とし前記一対の半裁体を自在に開閉してケーブル分岐金具に被覆するようにしたケーブル分岐金具用カバーであって、前記各半裁体の開放面の両側縁に架空電線が引き出される引出口を開設し、前記各半裁体の所定位置に両半裁体を閉じて合わせたとき互いに係脱自在に係合し得る係合部と被係合部をそれぞれ設け、少なくとも前記一方の半裁体の外周面には間接活線工具の把持部の先端を挿通する差込部と該差込部から一定の間隔離れた位置に設けられ前記差込部に前記先端を挿通した状態で前記把持部から伸びる支持杆を受け止める受止凹部とを設けたことを特徴とする。
【０００７】
この際、前記一方の半裁体の開口面の両側縁に、他方の半裁体側へ突出しかつ両側縁が先端に向うに従って漸次窄まるように傾斜する案内片を設けることが好ましい。
【０００８】
また、前記一方の半裁体の内周面に、前記ケーブル分岐金具に接続される前記ケーブルの両側に位置して該ケーブルの揺動動作を規制し得る規制凸部を設けることが好ましい。
【発明の効果】
【０００９】
本発明に係るケーブル分岐金具用カバーは、各半裁体の所定位置に両半裁体を閉じて合わせたとき互いに係脱自在に係合し得る係合部と被係合部をそれぞれ設けると共に、少なくとも一方の半裁体の外周面に設けた差込部に間接活線工具の把持部の先端を挿通すると共に受止凹部に把持部から伸びる支持杆を受け止めさせるようにしている。よって、架空電線の電流を遮断することなく作業ができ、しかも、ケーブル分岐金具用カバーが間接活線工具に二点で支持されると共に先端が差込部に挿通されることから、ケーブル分岐金具用カバーが間接活線工具に極めて安定した状態で取り付けられる。これにより、ケーブル分岐金具用カバーを誤って落下させるおそれもなく、ケーブル分岐金具用カバーがケーブル分岐金具に被覆し易く作業性が向上する。また、所定の大きさ・形状のケーブル分岐金具用カバーを使用することから絶縁性に個人差も無く安全上好ましい。
【００１０】
また、一方の半裁体の開口面の両側縁に他方の半裁体側へ突出しかつ両側縁が先端に向うに従って漸次窄まるように傾斜する案内片を設けたので、ケーブル分岐金具にケーブル分岐金具用カバーを被覆したり取り外すとき、架空電線が案内片の傾斜した側縁に当接し、両半裁体を自動的に開かせることになり、ケーブル分岐金具用カバーの被覆又は取り外しが容易に行える。更に、一方の半裁体の内周面に、ケーブル分岐金具に接続されるケーブルの両側に位置して該ケーブルの揺動動作を規制し得る規制凸部を設けたので、ケーブルに対しケーブル分岐金具用カバーがぐらつくことなくしっかりと固定され取付状態が安定する。
【発明を実施するための最良の形態】
【００１１】
以下、本発明に係るケーブル分岐金具用カバー（以下、単に「金具用カバー」という。）の実施の形態を図面に基づき説明する。図１は本発明に係る金具用カバーの一側から見た斜視図、図２は同他側から見た斜視図、図３は同開いて下から見た斜視図である。
【００１２】
金具用カバーＡは、合成樹脂製、例えばポリエチレン樹脂製であって可撓性を有する。そして、該金具用カバーＡは、所定の大きさ、すなわち後記するケーブル分岐金具Ｂを含め充電部である接続部Ｅを安全性を確保できる範囲で覆う大きさ、を有しかつ一側面が開放される箱枠状の一対の半裁体１ａ，１ｂからなる。両半裁体１ａ，１ｂは開放面が向き合うようにしてその一端（上端）をヒンジ部２によって連結され、該ヒンジ部２を中心として一対の半裁体１ａ，１ｂが自在に開閉できるようになっている。ただ、このままだと両半裁体１ａ，１ｂが無用に開いてしまう可能性が有るので、その開き度合いを押えるため前記ヒンジ部２の外側に断面二股状の保持部材２ａが嵌着されている。また、一方の半裁体１ａの開放面の側縁であってヒンジ部２の両側に、他方の半裁体１ｂ側へ伸びてその外周面に重なる制御片１７，１７が突設されている。これは、両半裁体１ａ，１ｂを閉じるとき、一方が閉じる方向に対して直交する方向へずれてうまく合わさらないのを防止するためである。
【００１３】
一方の半裁体１ａの内部の一端側に、ケーブル分岐金具Ｂが収納される第一収納凹部３が凹設されると共に該第一収納凹部３と連通するようにしてケーブル分岐金具Ｂに接続されたケーブルＫを挿通する第二収納凹部４が凹設される。このため、第二収納凹部４の外端、すなわち半裁体１ａの他端、は開口５している。第二収納凹部４の内周面には、挿通されたケーブルＫの両側に位置して該ケーブルＫの揺動動作を規制し得る規制凸部６，６が設けられている。
【００１４】
他方の半裁体１ｂの内周面には、図１０に示すようにその一端側に金具用カバーＡの回動角度を規制する規制突片７，７が突設されている。この半裁体１ｂの他端も開口８している。また、両半裁体１ａ，１ｂの開放面の両側縁に、後記する電線が引き出される引出口９，９が開設されている。これら引出口９，９には、対向する端縁から先端が引出口９，９の中央部に達する櫛歯状の屈曲自在な侵入防止部材１０がほとんど隙間なく多数本列設され、通常は引出口９，９を覆っている。同様に、他方の半裁体１ｂの他端の開口８にも、その一側端縁に先端が一方の半裁体１ａの開口５の縁まで達っしかつ該開口８を覆う侵入防止部材１０が列設されている。この場合、一方の半裁体１ａの他端の開口５は、侵入防止部材１０により覆われてない。
【００１５】
このように、引出口９，９や開口８を侵入防止部材１０により覆うのは、これら引出口９，９や開口８を介して小鳥などの小動物が金具用カバーＡ内に侵入して営巣し、これによって引き起される短絡事故を未然に防止するためである。
【００１６】
各半裁体１ａ，１ｂの他端側であって開放面両側縁に、両半裁体１ａ，１ｂを閉じて合わせたとき互いに合致する支持片１１ａ，１１ｂがそれぞれ突設される。そして、一方の支持片１１ａに先端が矢じり状に成形される係合部としての係合突起１２が突設され、他方の支持片１１ｂに被係合部としての係合孔１３が開設されている。これら係合突起１２と係合孔１３は、係脱自在に係合し得るようになっている。
【００１７】
図４に示すように、一方の半裁体１ａの外周面の一端側に下端面に挿通孔１４ａを有する袋状の差込部１４が一体に設けられている。また、同じ外周面であって差込部１４から他端側へ一定の間隔離れた位置、すなわち他端（下端）縁、に受止凹部１５が外側へ突出するようにして設けられている。これらは、後記する間接活線工具Ｃの先端に金具用カバーＡを安定した状態で保持できるようにし、作業が簡単に行なえ作業性を良くするためのものである。差込部１４は、間接活線工具Ｃの把持部４２の先端が挿通し得る大きさを有する。
【００１８】
他方の半裁体１ｂの外周面にも、同様にして差込部１４と受止凹部１５とが上下に一直線上に並ぶように配置され一体に設けられている。これら差込部１４と受止凹部１５とは一方の半裁体１ａ又は他方の半裁体１ｂのみでも良く、両半裁体１ａ，１ｂに設けるようにしても良い。本実施の形態にあっては、両方の半裁体１ａ，１ｂに差込部１４と受止凹部１５とが設けられている。
【００１９】
図４に示すように、一方の半裁体１ａの開放面の両側縁に、他方の半裁体１ｂ側へ突出しかつ両側縁１６ａ（上下縁）が先端に向うに従って漸次窄まるように傾斜する案内片１６が設けられている。これは、ケーブル分岐金具Ｂに金具用カバーＡを被覆したり取り外すとき、後記する架空電線Ｄが案内片１６の傾斜した側縁１６ａに当接し、両半裁体１ａ，１ｂを自動的に開かせることとなり、金具用カバーＡの被覆又は取り外しが容易に行えるようにするためである。特に、被覆する場合に有効である。
【００２０】
ここで、図５、図６に基づきケーブル分岐金具Ｂについて説明する。ケーブル分岐金具Ｂは、バイパス線として使用されるケーブルＫの両端に接続される。そして、ケーブル分岐金具Ｂは、金属製であって導電性を有し、バイパス線となるケーブルＫの端部が接続される回動部材２０と、該回動部材２０の一側面に配置され架空電線Ｄの被覆層を剥がした充電部である芯線ｄに挟着して取着される挟着部材２１と、からなる。ケーブルＫの端部にはその外周に絶縁用シート（図示せず。）が被着されることになる。
【００２１】
回動部材２０は、円板状に成形されると共に、その一側面（後面）にケーブルＫの端縁から延びる固定板２２が一体に固着される。一方、挟着部材２１は、回動部材２０よりも径の小さい円板状の基板２３を有し、該基板２３が回動部材２０の他側面（前面）に同心状に配置され、かつ、回動部材２０に対し自在に回動するように設けられている。そして、基板２３の一側面（前面）に、挟着部２４が設けられている。
【００２２】
挟着部２４は円板状の基板２３の中心軸線に対して直交する支持杆部２５を有し、該支持杆部２５の一端（上端）に該支持杆部２５からほぼ直交するようにして突設される受止杆部２６が一体に設けられる。また、支持杆部２５の他端（下端）に、受止杆部２６とほぼ平行な軸杆部２７が一体に設けられている。軸杆部２７には支持杆部２５と平行な螺子孔２８が貫設され、該螺子孔２８に螺子棒２９からなる締付部材３０が螺合されている。
【００２３】
螺子棒２９の一端に前記受止杆部２６の内面２６ａ（下面）と対向位置する押圧片部３１が設けられ、螺子棒２９の他端に該螺子棒２９を回転させながら中心軸線方向に沿って進退動させるための操作摘部３２が設けられている。そこで、操作摘部３２を回転させ螺子棒２９を受止杆部２６側へ進めると、受止杆部２６の内面２６ａと押圧片部３１の外面３１ａとの間の間隔が狭まる。また、操作摘部３２を回転させ逆に螺子棒２９を受止杆部２６から退けると、受止杆部２６の内面２６ａと押圧片部３１の外面３１ａとの間の間隔が広がるようになっている。
【００２４】
被覆作業は、架空電線Ｄに電流を流した状態、所謂活線状態、で行なわれるため、図６、図７に示すような間接活線工具Ｃ（通常、「絶縁ヤットコ」と称される。）が使用される。この間接活線工具Ｃは、棒状の支持杆としての主杆４０と該主杆４０よりも短くしかも細い支持杆としての副杆４１とから概略構成され、いずれも非導電性の部材から成形されている。そして、主杆４０に沿わせて副杆４１が配置されると共にこれらの先端部に把持部４２が設けられ、基端部には該把持部４２を操作するハンドル部４３が設けられている。
【００２５】
前記把持部４２は、主杆４０の先端に一体に設けられ前方へ円弧状に湾曲する第一把持片４４ａと、該第一把持片４４ａに軸着され該第一把持片４４ａを含む面内で回動する円弧状の第二把持片４４ｂと、からなる。第二把持片４４ｂの基端には、前記第一把持片４４ａに開設した透孔４５に挿入される副杆４１の先端に軸着されている。一方、ハンドル部４３は、主杆４０に取着される取付基台４６と該取付基台４６に中央部で回動自在に軸着されるＬ型のリンク部材４７とからなり、リンク部材４７の先端が前記副杆４１の基端に軸着されると共に基端側に握り部４８が設けられている。
【００２６】
ハンドル部４３の握り部４８を主杆４０側へ近づけるようにリンク部材４７を回動させると、副杆４１が主杆４０の基端側へ後退すると共に第二把持片４４ｂが内側へ回動して第一・第二把持片４４ａ，４４ｂ先端の挟着面４４ｃ，４４ｃが合わさって閉じる。逆に、握り部４８が主杆４０から遠ざかるようにリンク部材４７を回動させると、副杆４１が主杆４０の先端側へ進出すると共に、第二把持片４４ｂが外側へ回動して第一・第二把持片４４ａ，４４ｂ先端の挟着面４４ｃ，４４ｃ間が開く。このようにして、第一・第二把持片４４ａ，４４ｂにより物を掴んだり放したりすることができるようになっている。
【００２７】
本発明は上記構成からなり、次に、架空電線Ｄにおける接続部Ｅを本発明に係る金具用カバーＡにより被覆する手順を説明する。バイパス線であるケーブルＫを接続するため、事故の発生した個所を挟んだ両側の所定位置に既存の電線皮剥機（図示せず。）を用い電線の被覆層を剥がして充電部である芯線ｄを所定に長さに亘り露出させる。そして、図示は省略するが、ケーブルＫの端に接続したケーブル分岐金具Ｂを持ち上げ、芯線ｄ上面に受止杆部２６の内面２６ａを宛がう。この状態で、操作摘部３２を回して締付部材３０を回動し、螺子棒２９を受止杆部２６側へ進出させ、受止杆部２６の内面２６ａと押圧片部３１の外面３１ａとの間で芯線ｄをしっかりと挟着する。これにより、ケーブルＫの両端がケーブル分岐金具Ｂを介して架空電線Ｄに電気的に接続される。
【００２８】
各接続部Ｅにあっては、図６に示すように係合突起１２，１２と係合孔１３，１３との係合を外し両半裁体１ａ，１ｂの他端側が少し開いた状態で、間接活線工具Ｃの第一把持片４４ａの先端を差込部１４に挿入し、同時に副杆４１をその下の受止凹部１５に入れて沿わせる。これにより、金具用カバーＡが間接活線工具Ｃの主杆４０とほぼ平行に保持される。しかも、金具用カバーＡが差込部１４と受止凹部１５との二点で支持されるので、間接活線工具Ｃに対して金具用カバーＡが安定して保持され扱い易い。しかも、誤って間接活線工具Ｃから金具用カバーＡを落下させるおそれもない。
【００２９】
そして、図７に示すように金具用カバーＡをケーブル分岐金具Ｂに被覆する。この際、一方の半裁体１ａの内側の第一収納凹部３にケーブル分岐金具Ｃが位置し、第二収納凹部４にケーブルＫが挿通されるようにする。ケーブルＫは、第二収納凹部４の下端の開口５から外部に引き出される。また、架空電線Ｄは、両半裁体１ａ，１ｂの開放面の両側縁に開設された引出口９，９から侵入防止部材１０を押し退けて外部へ引き出される。金具用カバーＡをケーブル分岐金具Ｂに被覆する際、架空電線Ｄが案内片１６の傾斜した側縁１６ａに当接するので、両半裁体１ａ，１ｂの間が自動的に開き、両半裁体１ａ，１ｂ間に架空電線Ｄが入り易い。次に、この状態で金具用カバーＡの両側の各支持片１１ａ，１１ｂを挟み、各係合突起１２を各係合孔１３に係合させる。このようにして、図８、図９に示すようにケーブル分岐金具Ｂに金具用カバーＡが被覆される。
【００３０】
このように、本発明にあっては、金具用カバーＡが間接活線工具Ｃに二点で支持され、しかも、先端が差込部１４に挿通されることから、金具用カバーＡが間接活線工具Ｃに極めて安定した状態で取り付けられる。よって、金具用カバーＡを誤って落下させるおそれもなく、金具用カバーＡがケーブル分岐金具Ｂに被覆し易い。
【００３１】
事故による修復作業が終了するまで、金具用カバーＡをケーブル分岐金具Ｂに被覆したままとするが、この間、接続部Ｅは常に同じ形状の金具用カバーＡにより被覆されるので、異なる作業者によっても充電部の絶縁性に個人差がなくなり、安全上好ましい。
【００３２】
また、他方の半裁体１ｂの内面であってその一端側に一対の規制突片７，７を設けているので、図１０に示すように架空電線Ｄに対しケーブルＫが揺動し、この揺動動作に伴いケーブル分岐金具Ｂの回動部材２０と共に金具用カバーＡが揺れても、いずれかの規制突片７，７が挟着部材２１の受止杆部２６の上端部２６ｂに当接してその動作を規制する。よって、金具用カバーＡの揺動動作も規制されることになり、絶縁性が損なわれるようなことはない。
【００３３】
更に、一方の半裁体１ａの内周面に、ケーブル分岐金具Ｂに接続されるケーブルＫの両側に位置して該ケーブルＫの揺動動作を規制し得る規制凸部６，６を設けたので、ケーブルＫに対し金具用カバーＡがぐらつくことなくしっかりと固定され取付状態が安定する。
【図面の簡単な説明】
【００３４】
【図１】本発明に係る金具用カバーの一側から見た斜視図。
【図２】同他側から見た斜視図。
【図３】同開いて下から見た斜視図。
【図４】同中央縦断側面図。
【図５】ケーブル先端に接続されたケーブル分岐金具の斜視図。
【図６】架空電線のケーブル分岐金具に金具用カバーを被覆する手順を示す斜視図。
【図７】架空電線のケーブル分岐金具に金具用カバーを被覆する手順を示す斜視図。
【図８】架空電線のケーブル分岐金具に金具用カバーを被覆した状態の斜視図。
【図９】同中央縦断側面図。
【図１０】図９のＸ−Ｘ線断面図。
【符号の説明】
【００３５】
１ａ          半裁体
１ｂ          半裁体
２            ヒンジ部
９            引出口
１２          係合部（係合突起）
１３          被係合部（係合孔）
１４          差込部
１５          受止凹部
４１          支持杆（副杆）
４２          把持部
Ａ            金具用カバー
Ｂ            ケーブル分岐金具
Ｃ            間接活線工具
Ｄ            架空電線
【図１】
2008178182.tif 000003
【図２】
2008178182.tif 000004
【図３】
2008178182.tif 000005
【図４】
2008178182.tif 000006
【図５】
2008178182.tif 000007
【図６】
2008178182.tif 000008
【図７】
2008178182.tif 000009
【図８】
2008178182.tif 000010
【図９】
2008178182.tif 000011
【図１０】
2008178182.tif 000012